(57)【要約】【課題】  本発明は広い面積の被掃除面を効率よく掃除できるよう改善された吸入口組立体とこれを備えた真空掃除機を提供する。さらに、外部からにも流路が確認できるよう改善された吸入口組立体とこれを備えた真空掃除機を提供する。【解決手段】  本発明に係る吸入口組立体は、上部ハウジング及び下部ハウジングと、前記下部ハウジングに形成された複数の吸入口と、前記上部ハウジング及び下部ハウジングに形成され、前記吸入口から吸込まれた空気を導く複数の流路とを含む。これによって広い面積の掃除を効率よく行なうことができる。  また、前記上部ハウジングは上部蓋体と流路カバーとを含み、前記上部蓋体には、前記流路カバーに応じた形状で切開部が形成され、係る切開部を介して前記流路カバーは外部に露出される。この際、前記流路カバーは透明な材質で形成され、外部から前記第１の流路と前記第２の流路を観察することができる。尚、ゴミが引っかかった場合、真空掃除機の全体流路を確認しなければならない面倒がなくなる。【選択図】      図３
2006015112.tif 000002
【特許請求の範囲】
【請求項１】
上部ハウジング及び下部ハウジングと、
前記下部ハウジングに形成された複数の吸入口と、
前記上部ハウジング及び下部ハウジングに形成され、前記吸入口から吸込まれた空気を導く複数の流路とを含むことを特徴とする吸入口組立体。
【請求項２】
前記吸入口は、前記下部ハウジングに所定間隔隔てられて形成された第１の吸入口と第２の吸入口とからなり、前記流路は、前記第１の吸入口及び第２の吸入口にそれぞれ連通する第１の流路と第２の流路とから構成されたことを特徴とする請求項１に記載の吸入口組立体。
【請求項３】
前記第１の吸入口は前記下部ハウジングの中央部と一側部との間に形成され、前記第２の吸入口は前記下部ハウジングの中央部と他側部との間に形成されたことを特徴とする請求項２に記載の吸入口組立体。
【請求項４】
前記第１の吸入口及び前記第２の吸入口と前記下部ハウジングの両側部とが連結されるように前記下部ハウジングの底面と段付けるよう形成された側部ゴミ移動チャネルと、
前記第１の吸入口と前記第２の吸入口とが連結されるよう前記下部ハウジングの底面と段付けるように形成された中央ゴミ移動チャネルと、
前記下部ハウジングの前部と前記第１の吸入口及び前記第２の吸入口とが連結されるよう、前記下部ハウジングの底面と段付けるように形成された少なくとも１つの前部ゴミ移動チャネルとを更に含むことを特徴とする請求項２に記載の吸入口組立体。
【請求項５】
前記上部ハウジングは、
前記第１の流路と前記第２の流路との上部をなし、前記下部ハウジングに結合される流路カバーと、
前記流路カバーの上部に配し、前記下部ハウジングと結合される上部蓋体とを更に含むことを特徴とする請求項２に記載の吸入口組立体。
【請求項６】
前記流路カバーは、吸込まれた空気の流動方向に垂直なアーチ型で形成されたことを特徴とする請求項５に記載の吸入口組立体。
【請求項７】
前記流路カバーの縁に形成された第１の結合部と、
前記第１の結合部と気密を保ちながら結合できるように、前記第１の結合部に応じて前記下部ハウジングに形成された第２の結合部とを更に含むことを特徴とする請求項６に記載の吸入口組立体。
【請求項８】
前記第１の結合部と前記第２の結合部は、相互対応している１対の段付け部であることを特徴とする請求項７に記載の吸入口組立体。
【請求項９】
前記第１の結合部と前記第２の結合部は、結合リブと該結合リブに対応する結合リブ溝であることを特徴とする請求項７に記載の吸入口組立体。
【請求項１０】
前記上部蓋体の下面に形成された加圧リブと、
前記加圧リブが収容されるように前記加圧リブに応じた形で前記流路カバーの上面に形成されたガイドリブとを更に含むことを特徴とする請求項７に記載の吸入口組立体。
【請求項１１】
前記流路カバーは、第１の流路と前記第２の流路を観察することができるよう透明な材質で形成されたことを特徴とする請求項５に記載の吸入口組立体。
【請求項１２】
吸込まれた空気を真空源方向に導くように前記第１の流路と前記第２の流路に形成された流動案内リブを更に含むことを特徴とする請求項２に記載の吸入口組立体。
【請求項１３】
前記流動案内リブは、
前記第１の流路上に形成された第１の流動案内リブと、
前記第１の流動案内リブの一端と接するよう前記第２の流路上に形成された第２の流動案内リブとを含むことを特徴とする請求項１２に記載の吸入口組立体。
【請求項１４】
前記第１の流動案内リブと前記第２の流動案内リブの一面には所定の曲率を有するガイド面が形成されたことを特徴とする請求項１３に記載の吸入口組立体。
【請求項１５】
真空源を格納している掃除機本体と、
前記真空源と空気疎通が可能に前記掃除機本体へ連結されている延長流路と、
前記延長流路に連結され被掃除面のゴミを吸込む吸入口組立体とを含み、
前記吸入口組立体は、上部ハウジング及び下部ハウジングと、前記下部ハウジングに形成された複数の吸入口と、前記上部ハウジング及び前記下部ハウジングに形成され前記吸入口から吸込まれた空気を案内する複数の流路と含むことを特徴とする真空掃除機。
【請求項１６】
前記吸入口は、前記下部ハウジングに所定間隔隔てられて形成された第１の吸入口と第２の吸入口とからなり、前記流路は、前記第１の吸入口及び第２の吸入口にそれぞれ連通する第１の流路と第２の流路とから構成されたことを特徴とする請求項１５に記載の真空掃除機。
【請求項１７】
前記上部ハウジングは、
前記第１の流路と前記第２の流路の上部をなし、前記下部ハウジングに結合される流路カバーと、
前記流路カバーの上部に配し、前記下部ハウジングと結合される上部蓋体とを更に含むことを特徴とする請求項１６に記載の真空掃除機。
【請求項１８】
前記流路カバーの縁に形成された第１の結合部と、
前記第１の結合部と気密を保ちながら結合できるように、前記第１の結合部に応じて前記下部ハウジングに形成された第２の結合部とを更に含むことを特徴とする請求項１７に記載の真空掃除機。
【請求項１９】
前記上部蓋体の下面に形成された加圧リブと、
前記加圧リブが収容されるように前記加圧リブに応じた形状で前記流路カバーの上面に形成されたガイドリブとを更に含むことを特徴とする請求項１８に記載の真空掃除機。
【請求項２０】
吸込まれた空気を真空源方向に導くように前記第１の流路と前記第２の流路に形成された流動案内リブを更に含むことを特徴とする請求項１８に記載の真空掃除機。
【発明の詳細な説明】
【技術分野】
【０００１】
本発明は、真空掃除機に関し、より詳しくは被掃除面のゴミが吸込まれる真空掃除機の吸入口組立体に関する。
【背景技術】
【０００２】
通常、真空掃除機は、本体に格納されている真空源の駆動により発生する吸入力を用いて被掃除面のゴミを吸込む装置である。
【０００３】
係る真空掃除機は、真空力を発生させるモータが格納された真空掃除機本体と、被掃除面と向かい合ってゴミを吸込む吸入口組立体と、該吸入口組立体から吸込んだゴミを前記真空掃除機本体に導く延長流路とを含んでなる。前記延長流路は、前記吸入口組立体に流動自在に結合される延長管コネクターと、前記延長管コネクターと連結される延長管と、延長管と連通される吸入ホースとを含む。
【０００４】
図１Ａ及び図１Ｂを参照すると、吸入口組立体は、上部ハウジング１０と下部ハウジング１１を有し、下部ハウジング１１にて被掃除面からゴミが吸込まれる吸入口１４が形成されている。さらに、下部ハウジング１１には吸入口１４の両側から側部ゴミ移動チャネル１２が設けられ、このような側部ゴミ移動チャネル１２を介して吸入口組立体の側部（Ｓ）のゴミが吸入口１４を介して真空源の発生部に吸込まれる。
【０００５】
尚、ゴミを吸込むように真空力の伝達される流路が吸入口組立体に１つ形成される。よって、吸入口１４の中央部（Ｃ）は、吸入力が強いものの、両側部（Ｓ）の方にいくほどその吸入力は落ちる。従って、掃除の際に吸入口１４の中央部（Ｃ）においてはよい効率で働くが、吸入口１４の両側部（Ｓ）の掃除効率は落ちてしまうので、広い面積の被掃除面を掃除する時は好ましくない。
【０００６】
さらに、吸入口組立体の上部は、前記吸入口組立体に形成された流路が外部から見ると確認できないよう不透明材質で設けられているので、吸入口組立体にゴミが引っかかる時にもそのゴミの位置を確認するため真空掃除機の全体流路を確認しなければならない面倒がある。
【発明の開示】
【発明が解決しようとする課題】
【０００７】
本発明は前述した問題点を解決するために案出されたもので、本発明の目的は、広い面積の被掃除面を効率よく掃除できるように改善された吸入口組立体とこれを備えた真空掃除機を提供することにある。
【０００８】
そして、本発明の他の目的は、外部からにも流路が確認できるよう改善された吸入口組立体とこれを備えた真空掃除機を提供することにある。
【課題を解決するための手段】
【０００９】
前述の目的を達成するための本発明に係る吸入口組立体は、上部ハウジング及び下部ハウジングと、前記下部ハウジングに形成された複数の吸入口と、前記上部ハウジング及び下部ハウジングに形成され、前記吸入口から吸込まれた空気を導く複数の流路と、を含むことを特徴とする。これによって広い面積の掃除を効率よく行なうことができる。
【００１０】
尚、前記吸入口は、前記下部ハウジングに所定間隔隔てられて形成された第１の吸入口と第２の吸入口とからなり、前記流路は、前記第１の吸入口及び第２の吸入口にそれぞれ連通する第１の流路と第２の流路とから構成されたことが好ましい。これによって、広い面積の掃除だけでなく、前記第１の吸入口及び前記第２の吸入口が向かい合う局所の被掃除面の掃除効率をも向上させ得る。
【００１１】
さらに、前記上部ハウジングは、前記第１の流路と前記第２の流路との上部をなし、前記下部ハウジングに結合される流路カバーと、前記流路カバーの上部に配し、前記下部ハウジングと結合される上部蓋体とを更に含むことが好ましく、前記流路カバーの縁に形成された第１の結合部と前記下部ハウジングに形成された第２の結合部とが気密を保ちながら結合することで吸入力の損失を防止できる。
【００１２】
さらに、前記第１の流路と前記第２の流路には流動案内リブが形成され吸込まれた空気の渦巻き現象を防止しつつ真空源方向に導くことができるようにし、係る渦巻き現象の防止による吸入力損失を抑えることができる。
【００１３】
本発明の実施形態に係る吸入口組立体は、上部ハウジングと該上部ハウジングと結合される下部ハウジングとを備え、前記上部ハウジングは、上部蓋体と流路カバーと有する。前記下部ハウジングには、該下部ハウジングの中央部と両側部の約１/２所に２つの吸入口が形成され、前記吸入口はそれぞれ前記下部ハウジングと前記流路カバーによって形成された第１及び第２の流路と連通する。係る構造でそれぞれの吸入口に吸入力を均等に分配し広い面積の被掃除面の掃除効率を向上させることができる。
【００１４】
さらに、前記下部ハウジングには第１の結合部が形成され、該第１の結合部と結合しこれに対応されるよう前記流路カバーには第２の結合部が形成される。前記第１の結合部と前記第２の結合部は、１対の段付けによって具現されるか、リブ及びリブ溝で具現され得る。係る構造で第１の流路と前記第２の流路の気密を保つことができるため吸入力の損失を防止することができ、且つ流路カバーの組立性も向上させる。
【００１５】
一方、前記上部蓋体の下面には加圧リブが形成され、該加圧リブに応じた形状で前記流路カバーにはガイドリブが形成される。これによって、前記上部蓋体が前記下部ハウジングとスクリューなどの締結部材によって結合する際、前記加圧リブは流路カバーのプランジ部を加圧すると同時にガイドリブに収容され、前記第１の結合部と前記第２の結合部がさらに機密性を維持しながら結合される。
【００１６】
そして、前記上部蓋体には、前記流路カバーに応じた形状で切開部が形成され、係る切開部を介して前記流路カバーは外部に露出される。この際、前記流路カバーは透明な材質で形成され、外部から前記第１の流路と前記第２の流路を観察することができる。尚、ゴミが引っかかった場合、真空掃除機の全体流路を確認しなければならない面倒がなくなった。
【発明の効果】
【００１７】
本発明に係る吸入口組立体とこれを備えた真空掃除機及び吸入口組立体の組立て方法によると、２つの流路が形成されていることで吸入口組立体側部の掃除効率を向上させ、広い面積の被掃除面を効率よく掃除できる。
【００１８】
そして、流路カバーを透明に設けることで、吸入口組立体に吸込まれたゴミを流動を肉眼で確認することができ、ゴミが吸入口組立体に引っかかる場合、真空掃除機の全体流路を確認しなければならない煩わしさがない。
【００１９】
また、吸入口組立体とこれを備えた真空掃除機及び吸入口組立体の組立て方法によると、流動案内リブを流路上に設けることで、吸込まれた空気の渦巻きを減少させて吸入力の損失を抑えることができる。
【００２０】
また、流路カバー上に設けられた第１の結合部と下部ハウジングに設けられた第２の結合部とが結合することによって、前記流路カバーを前記下部ハウジングに収容させる。上部蓋体が前記第１及び第２の結合部を加圧することによって、組立性が向上され、且つ流路上の気密が保たれる。係る気密維持が吸入力損失の恐れを防止する。
【発明を実施するための最良の形態】
【００２１】
以下、添付の図面を参照して本発明の好適な実施形態を詳述する。
【実施例】
【００２２】
図２は、本発明の一実施形態に係る真空掃除機を概略的に示した斜視図である。本発明の一実施形態に係る真空掃除機は、真空源が格納された真空掃除機本体１００、前記真空源から発生される真空力で被掃除面のゴミを吸込む吸入口組立体２００、吸入口組立体２００と連結されて吸入口組立体２００から吸込まれたゴミを真空掃除機本体１００に導く延長流路１１０を有する。
【００２３】
延長流路１１０は、吸入口組立体２００に回同自在に連結される関節部１１８を備えた延長管コネクター１１６、延長管コネクター１１６に連結される延長管１１４、一端は延長管１１４に連結され他端は掃除機本体１００に連結された吸入ホース１１２を含む。係る構造で吸入口組立体２００を介して吸込まれたゴミを含む空気は延長管コネクター１１６、延長管１１４、吸入ホース１１２を経て掃除機本体１００に移動される。
【００２４】
図３は、本発明に係る真空掃除機の吸入組立体を概略的に示した分解斜視図である。本発明の一実施形態に係る吸入口組立体２００は、吸入口組立体２００及び上部をなしている上部ハウジング２１０と、下部をなしている下部ハウジング２２２を有する。
【００２５】
上部ハウジング２１０は、下部ハウジング２２２に形成された第１の結合部２３４に収容される流路カバー２５０と、流路カバー２５０の上部に配し下部ハウジング２２２と結合される上部蓋体２１２とを含む。
【００２６】
流路カバー２５０は、吸込まれた空気の流動方向に垂直した端面がアーチ型で形成され、外部から吸込まれたゴミの流動を観察しゴミが引っかかっているかを確認できるように透明な材質で形成される。前記透明な材質は、ポリカーボネートまたはＡＢＳ（アクリロニトリル−ブタジエン−スチレン）樹脂などが一般的に用いられる。
【００２７】
上部蓋体２１２は、下部ハウジング２２２の複数の締結ホール２３８及び複数の締結部材２３６によって結合される。この際、上部蓋体２１２に形成された切開部２１４を介して流路カバー２５０は外部に露出する。さらに、下部ハウジング２２２の背端部と上部蓋体２１２の背端部には、延長管コネクター１１６の関節部１１８が回転自在に収容されるように下側及び上側延長管コネクター装着部２２４、２６４が形成される。
【００２８】
下部ハウジング２２２には、第１及び第２の吸入口２２６、２２８が所定の間隔隔てられて形成されている。第１及び第２の吸入口２２６、２２８は、それぞれ吸入口組立体２００の中央部（C）と両側部（S）との間に配する。好ましくは、中央部（Ｃ）と両側部（Ｓ）の約１/２地点で形成されることが好ましい。前述のような吸入口２２６、２２８の配置によって真空源から発生される吸入力はより広い被掃除面に均等よく作用して効率的に掃除できる。下部ハウジング２２２には、第１及び第２の吸入口２２６、２２８と連通する第１及び第２の流路２３０、２３２が形成される。係る第１及び第２の流路２３０、２３２は、下部ハウジング２２２によって流路底面２３１が形成され、流路カバー２５０が下部ハウジング２２２に形成された第１の結合部２３４と結合して第１及び第２の流路２３０、２３２の上部を形成することにより備えられた空間である。未説明された符号２５８は流路カバー２５０の縁に沿って形成されるプランジ部２５８であって、詳細な説明は後述する。
【００２９】
図４は、下部ハウジングの底面を概略的に示した底面斜視図である。下部ハウジング２２２の底面には、吸入口組立体２００の両側部（Ｓ）のゴミを吸込んで吸入口２２６、２２８の方に移動するよう下部ハウジング２２２の側部で吸入口２２６、２２８に連結形成された側面ゴミ移動チャネル２４０と、吸入口組立体２００の前部のゴミが容易に吸入口２２６、２２８へ吸入移動できるように下部ハウジング２２２に形成された前部ゴミ移動チャネル２４４、第１の吸入口２２６及び第２の吸入口２２８の間に形成された中央ゴミ移動チャネル２４２と、が形成される。
【００３０】
側部ゴミ移動チャネル２４０は、下部ハウジング２２２の底面と段付けるように設けられており、このような形状によって下部ハウジング２２２の側部（Ｓ）から吸入口２２６、２２７を連結する通路を形成する。この側部ゴミ移動チャネル２４０によって吸入口組立体２００の側面から吸込まれたゴミが容易に吸入口２２６、２２８へ導かれる。
【００３１】
前部ゴミ移動チャネル２４４は、吸入口組立体２００の前端部に下部ハウジングと段付けるように形成される通路として複数個形成される。前部ゴミ移動チャネル２４４は吸入口２２６、２２８と、側部ゴミ移動チャネル２４０と、中央ゴミ移動チャネル２４２と連結される。これによって吸入口組立体２００の前部から吸込まれたゴミが容易に吸入口２２６、２２８へ移動される。
【００３２】
中央ゴミ移動チャネル２４２は、下部ハウジング２２２の底面と段付けて形成され、第１の吸入口２２６及び第２の吸入口２２８の間に配する。そして、中央ゴミ移動チャネル２４２は分離リブ２４６によって左右に分離されて、分離された中央ゴミ移動チャネル２４２それぞれは第１の吸入口２２６及び第２の吸入口２２８に連結される。吸入口組立体２００の中央部（Ｃ）で吸込まれたゴミは中央ゴミ移動チャネル２４２を介して第１の吸入口２２６及び第２の吸入口２２８吸込まれる。
【００３３】
図５は本発明の一実施形態に係る上部蓋体の底面を概略的に示した斜視図である。上部蓋体２１２の底面には流路カバー２５０が外部へ露出するよう切開部２１４が貫通形成されており、切開部２１４の周りには加圧リブ２１６が下向き突設されている。加圧リブ２１６は、切開部２１４の形状と類似な形状で形成され、流路カバー２５０の上面に形成されたガイドリブ２５４（図６参照）に収容される。
【００３４】
図６は、図３のＶＩ−ＶＩに沿って切開して示した流路カバーの端面図である。流路カバー２５０の端面は、吸込まれた空気の移動方向と垂直な端面であって、流路カバー２５０の縁にはガイドリブ２５４が上向き突設されている。ガイドリブ２５４は、加圧リブ２１６（図５参照）と対応する形状で形成されており、上部蓋体２１２と下部ハウジング２２２とが結合する時、加圧リブ２１６（図５参照）が収容される。流路カバー２５０の下面の終端には第２の結合部２６２が形成される。本実施形態における第２の結合部２６２は段付けるよう設けられ、後述する第１の結合部２３４と気密を保ちながら結合する。
【００３５】
図７は図２のＶＩＩ-ＶＩＩに沿って切開し要部を示した端面図である。下部ハウジング２２２には第１の結合部２３４が段付けるよう形成されており、第１の結合部２３４に対応する形状で流路カバー２５０の下面終端の縁には第２の結合部２６２が段付けるよう形成されている。第１の結合部２３４と第２の結合部２６２とが結合されることにより流路カバー２５０（図３参照）と下部ハウジング２２２は気密を保ちながら結合できる。従って、流路の気密が維持され吸入力の損失を未然に防止できる。
【００３６】
流路カバー２５０の上面には縁に沿って上向き突設されたガイドリブ２５４が形成され、ガイドリブ２５４に応じた形状で上部蓋体２１２の下面には加圧リブ２１６が形成される。これによって、上部蓋体２１２が下部ハウジング２２２と結合する時、上部蓋体２１２の下面に形成された加圧リブ２１６は流路カバー２５０（図３参照）に形成されたプランジ部２５８を加圧するようになる。これによって、第１の結合部２３４と第２の結合部２６２は加圧リブ２１６から圧力を受けてより堅固に結合されて、確実な機密性を保つことができるようになる。一方、加圧リブ２１６は、プランジ２５８を加圧しつつ、ガイドリブ２５４に収容されることから上部蓋体２１２が流路カバー２５０上における流動発生を抑えることができる。
【００３７】
図８は、本発明の一実施形態に係る流路カバーの底面を示した底面斜視図である。流路カバー２５０の内壁中央部の前端には流動案内リブ２７０が形成される。このような流動案内リブ２７０は流路カバー２５０の中央部の前端で第１の吸入口２２６（図３参照）の方向に延びた第１の流動案内リブ２７４と、第２の吸入口２２８（図３参照）の方向に伸びた第２の流動案内リブ２７８を有する。それぞれの流動案内リブ２７４，２７８の前面には所定の曲率を有するガイド面２８０が設けられ、ガイド面２８０に沿って吸込まれた空気は真空源の方向に案内されるよう流動方向が転換される。ガイド面２８０の曲率は第１の流路２３０と第２の流路２３２とが合流される地点で生じた渦巻きを最大に減少させることのできる最適の曲率を有することが好ましく、係る最適な曲率は実験により得られる。この構造で吸込まれた空気の流動方向を真空源方向に転換することができ、且つ第1及び第２の吸入口２２６，２２８の合流地点で生じた渦巻きを減少させることができる。これによって流動方向転換と渦巻きによる吸入力損失を低下させ得る。本実施形態では、流動案内リブ２７０は流路カバーに形成されるが、第１及び第２の流路２３０、２３２の空間上に配され吸込まれた空気の流動方向を変わらせるための手段であるので、下部ハウジング２２２（図３参照）にも設けられることができる。尚、下部ハウジング２２２（図３参照）と流路カバー２５０に同時形成されることも可能である。
【００３８】
図９は流動案内リブが省略された吸入口組立体に吸込まれた空気の渦巻き現象を概略的に示した破砕斜視図であって、図１０は本発明の実施形態による流動防止リブを備えた吸入口組立内で吸込まれた空気の流れを概略的に示した破砕斜視図である。
【００３９】
図９を参照すると、第１の吸入口２２６及び第２の吸入口２２８に吸込まれた空気は、第１の流路２３０と第２の流路２３２に沿って移動される。第１の流路２３０及び第２の流路２３２に沿って移動された空気は、真空源発生部の方にその流動方向転換が円滑になされず第1の流路２３０及び第２の流路２３２の合流点で衝突する。この衝突によって前記合流点で渦巻きが生じる。係る渦巻きは、吸込まれた空気の流速を減少させるだけでなく、吸入力の損失も招く。
【００４０】
図１０を参照すると、流動案内リブ２８０が形成された吸入口組立体２００における第１の吸入口２２６及び第２の吸入口２２８から吸込まれた空気は第１の流路２３０と第２の流路２３２に沿って移動し、第１の流路２３０と第２の流路２３２の合流点で前記流動案内リブ２８０によってそれぞれ流動方向転換が円滑になされるようになる。従って、合流点で生じる渦巻きを減少させることができ、これは吸入力損失を減少させることに繋がる。
【００４１】
図１１は、本発明の他の実施形態に係る第１及び第２の結合部を示した端面図である。本発明の他の実施形態に係る第１及び第２の結合部２３４、２６２は、リブとリブ溝から構成されているので流路の気密性をより向上させ得る。さらに、前述の実施形態に以外にもゴムなどの気密維持手段を別除に設けることも可能である。
【００４２】
以下、図３を参照して本発明の実施形態に係る吸入口組立体２００の組立方法について詳説する。
【００４３】
まず、延長管コネクター１１６の関節部１１８を下部ハウジング２２２の背端部に設けられた下側延長管コネクター装着部２２４に挿入してから流路カバー２５０を下部ハウジング２２２に収容させる。係る収容は、下部ハウジング２２２に形成された第１の結合部２３４と流路カバー２５０に形成された第２の結合部２６２（図７参照）が結合することによってなされる。尚、上部蓋体２１２は下部ハウジング２２２及び流路カバー２５０の上端を覆う。この際、上部蓋体２１２に形成された上側延長管コネクター装着部２６４に延長管コネクター１１６の関節部１１８が上部ハウジング２１０に回同自在に結合される。そして、上部蓋体２１２と下部ハウジング２２２に形成された複数の締結ホール２３８を介してスクリューのような締結部材２３６で結合する。尚、上部蓋体２１２の切開部２１４の下面に設けられた加圧リブ２１６（図５参照）が流路カバー２５０に形成されたプランジ部２５８を加圧し、それと同時にプランジ部２５８の終端に形成されたガイドリブ２５４（図６参照）に収容されるようになる。よって、流路カバー２５０は、気密性を保ちながら安全に結合する。
【００４４】
本実施形態においては、流路カバー２５０が上部蓋体２１２と下部ハウジング２２２との間に位置することで吸入口組立体２００に設けられることになるが、上部蓋体２１２と一体に形成されることも可能である。
【００４５】
以上、図面を参照して本発明の好適な実施形態を図示及び説明してきたが本発明の保護範囲は、前述の実施形態に限定するものではなく、特許請求の範囲に記載された発明とその均等物にまで及ぶものである。
【産業上の利用可能性】
【００４６】
本発明は、真空掃除機に関し、詳細には被掃除面のゴミが吸込まれる真空掃除機の吸入口組立体に関する。本発明は、キャにスター型真空掃除機、アップライト型真空掃除機のみならず、吸入口組立体を有する全ての真空掃除機に適用され得る。
【図面の簡単な説明】
【００４７】
【図１Ａ】従来の吸入口組立体の底面及び上面を概略的に示した斜視図である。
【図１Ｂ】従来の吸入口組立体の底面及び上面を概略的に示した斜視図である。
【図２】本発明の一実施形態に係る真空掃除機を概略的に示した斜視図である。
【図３】本発明の一実施形態に係る吸入口組立体の分解斜視図である。
【図４】本発明の一実施形態に係る下部ハウジングの底面を概略的に示した斜視図である。
【図５】本発明の一実施形態に係る上部蓋体の底面を概略的に示した斜視図である。
【図６】図３のVI-VIに沿って切開した流路カバーの端面図である。
【図７】図２のVII-VIIに沿って切開し要部を示した端面図である。
【図８】本発明の一実施形態に係る流路カバーの底面を概略的に示した斜視図である。
【図９】流動案内リブが省略された吸入口組立体に吸込まれた空気の渦巻き現象を概略的に示した破砕斜視図である。
【図１０】本発明の実施形態によって、流動案内リブを備えた吸入口組立体内で吸込まれた空気の流れを概略的に示した破砕斜視図である。
【図１１】本発明の実施形態に係る流路カバーと上部蓋体及び下部ハウジングが結合された状態を示した端面図である。
【符号の説明】
【００４８】
１００  掃除機本体
１１０  延長流路
１１２  吸入ホース
１１４  延長管
１１６  延長管コネクター
２００  吸入口組立体
２１０  上部ハウジング
２１２  上部蓋体
２１４  切開部
２１６  加圧リブ
２２２  下部ハウジング
２２６、２２８  第１及び第２の吸入口
２３０、２３２  第１及び第２の流路
２４０  側部ゴミ移動チャネル
２４２  中央ゴミ移動チャネル
２４４  前部ゴミ移動チャネル
２３４、２６２  第１及び第２の結合部
２５０  流路カバー
２５４  ガイドリブ
２５８  プランジ部
２６０  流動案内リブ
２６４、２６８  第１及び第２の流動案内リブ
２７０  ガイド面
【図１Ａ】
2006015112.tif 000003
【図１Ｂ】
2006015112.tif 000004
【図２】
2006015112.tif 000005
【図３】
2006015112.tif 000006
【図４】
2006015112.tif 000007
【図５】
2006015112.tif 000008
【図６】
2006015112.tif 000009
【図７】
2006015112.tif 000010
【図８】
2006015112.tif 000011
【図９】
2006015112.tif 000012
【図１０】
2006015112.tif 000013
【図１１】
2006015112.tif 000014